(57)【要約】【課題】温暖時期及び寒冷時期を問わず、燃料電池の発電時に生成される温水（熱）を有効利用でき、給湯設備全体としての快適性を向上する。【解決手段】１年を寒冷時期と温暖時期とに分類し、寒冷時期は燃料電池ユニット１２の排熱の一部をマット３６に利用し、温暖時期は燃料電池ユニット１２の排熱の一部を除湿器３８の稼働に利用することで、排熱利用に対する貯湯タンク１８の依存率を制限するようにした。マット３６及び除湿器３８に代表されるように、室内の給湯設備において、必要とされる熱源は、ヒートポンプ４０やバックアップボイラ４２から受けているが、三方弁５８、６０の切替制御によって、熱源として、間接的に燃料電池ユニット１２の発電時に発生する熱を利用するようにした。【選択図】図３
2018169119.tif 000002
【特許請求の範囲】
【請求項１】
供給された水を加熱して給湯設備で利用する温水として貯留する貯湯タンクを備えた貯湯ユニットと、原料ガスを利用して発電する燃料電池ユニットとが併設され、発電の際に発生する熱で前記貯湯タンク内の水を加熱する貯湯発電システムであって、
前記燃料電池ユニットと前記貯湯ユニットとの間に設けられ、前記燃料電池ユニットでの発電により加熱された流体を回収し、前記貯湯タンクへ供給する熱回収配管部と、
前記燃料電池ユニットでの発電による熱、又は前記貯湯タンクに貯留された温水の熱の何れかの余剰状態を判定する判定手段と、
前記判定手段による判定において、余剰の熱があると判定された場合に、当該余剰の熱で予め定めた給湯設備を対象とした配管を流れる流体を加熱する熱交換手段と、
を有する貯湯発電システム。
【請求項２】
前記判定手段が、前記熱回収配管部を流れる流体の温度を検出する第１温度センサであり、
前記第１温度センサの検出値が、第１しきい値を超えた場合に、前記熱交換手段が、前記熱回収配管部から熱を受けて熱交換を実行することを特徴とする請求項１記載の貯湯発電システム。
【請求項３】
前記判定手段が、前記貯湯タンク内に貯留された温水の温度を検出する第２温度センサであり、
前記貯湯タンクに貯留された温水を、当該貯湯タンクの外部で循環させる熱利用配管部をさらに有し、
前記第２温度センサの検出値が、第２しきい値を超えた場合に、前記熱交換手段が、前記熱利用配管部から熱を受けて熱交換を実行することを特徴とする請求項１記載の貯湯発電システム。
【請求項４】
前記給湯設備として、温暖時期では室内の空気を取り込んで加熱し除湿剤を活性化させる除湿器が対象とされ、寒冷時期では利用者に対し温熱効果を与える暖房器具が対象とされることを特徴とする請求項１〜請求項３の何れか１項記載の貯湯発電システム。
【発明の詳細な説明】
【技術分野】
【０００１】
本発明は、貯湯ユニットと燃料電池ユニットとが併設された貯湯発電システムであって、特に、発電効率を向上するための貯湯発電システムに関するものである。
【背景技術】
【０００２】
燃料電池には貯湯タンクが満タンになる（温水の上限温度に到達する）と発電を停止するものがある。このような燃料電池においては貯湯タンクが満タンになる前にお湯を張るなどして貯湯タンク内のお湯を使うと長く発電を続けることができ、利用者の満足度向上、省エネにつながる。
【０００３】
特に、貯湯タンクは、給湯需要が低い（温水の消費量が少ない）夏場（温暖時期）において満タンになり易く、燃料電池の発電も停止することになる。
【０００４】
貯湯発電システムにおいて、給湯設備として除湿器を設け、燃料電池と除湿器を組み合わせた調湿システムが存在する。この調湿システムでは、温水配管を介して除湿器が燃料電池と接続されており、燃料電池の発電時に生成された温水を利用して、除湿器内に取り込んだ室内空気を加熱し、この加熱した室内空気をデシカントロータに供給して、吸着剤の再生を図っている（一例として、特許文献１参照）。
【０００５】
これにより、除湿器を多用する温暖時期において、燃料電池の発電時に生成された温水を有効利用することができる。
【０００６】
なお、デシカントロータ式の除湿器は、デシカント素子に水分を吸着させて除湿する方式で、ゼオライト（水を吸脱する乾燥剤）と、熱交換器、吸着した水分を放出させるためのヒーターで構成されている。
【先行技術文献】
【特許文献】
【０００７】
【特許文献１】特開２００７−１６３０９０号公報
【発明の概要】
【発明が解決しようとする課題】
【０００８】
しかしながら、貯湯タンク内の温水の満タン状態は、温暖時期に限らず冬場（寒冷時期）においても起こり得る。上記のように燃料電池の発電時に生成された温水の有効利用は、温暖時期に限定されるため、寒冷時期に貯湯タンクが満タンとなった場合の対策はなされていない。
【０００９】
また、特許文献１の除湿器は、湿度を下げるのみで、室内温度を下げる冷却効果は不十分であり、貯湯発電システムの給湯設備全体としての快適性は考慮されていない。
【００１０】
本発明は上記事実を考慮し、温暖時期及び寒冷時期を問わず、燃料電池の発電時に生成される温水（熱）を有効利用でき、給湯設備全体としての快適性を向上することができる貯湯発電システムを得ることが目的である。
【課題を解決するための手段】
【００１１】
本発明は、供給された水を加熱して給湯設備で利用する温水として貯留する貯湯タンクを備えた貯湯ユニットと、原料ガスを利用して発電する燃料電池ユニットとが併設され、発電の際に発生する熱で前記貯湯タンク内の水を加熱する貯湯発電システムであって、前記燃料電池ユニットと前記貯湯ユニットとの間に設けられ、前記燃料電池ユニットでの発電により加熱された流体を回収し、前記貯湯タンクへ供給する熱回収配管部と、前記燃料電池ユニットでの発電による熱、又は前記貯湯タンクに貯留された温水の熱の余剰状態を判定する判定手段と、前記判定手段による判定において、余剰の熱があると判定された場合に、当該余剰の熱で予め定めた給湯設備を対象とした配管を流れる流体を加熱する熱交換手段と、を有する貯湯発電システムである。
【００１２】
本発明によれば、燃料電池ユニットと貯湯ユニットとの間には、燃料電池ユニットでの発電により加熱された流体を回収し、貯湯タンクへ供給する熱回収配管部が設けられており、燃料電池ユニットでの発電による熱、又は貯湯タンクに貯留された温水の熱の何れかの余剰状態を判定する。
【００１３】
熱交換手段では、余剰の熱があると判定された場合に、当該余剰の熱で予め定めた給湯設備を対象とした配管を流れる流体を加熱する。
【００１４】
これにより、燃料電池ユニットで発電により発生する熱（排熱）を、給湯設備に対して有効利用することができ、かつ、例えば、貯湯タンクが満タンであっても、燃料電池ユニットの排熱の利用先を確保したため、発電を継続することができる。
【００１５】
本発明において、前記判定手段が、前記熱回収配管部を流れる流体の温度を検出する第１温度センサであり、前記第１温度センサの検出値が、第１しきい値を超えた場合に、前記熱交換手段が、前記熱回収配管部から熱を受けて熱交換を実行することを特徴とする。
【００１６】
判定手段での余剰の熱があるとする判定は、熱回収配管部を流れる流体の温度を検出する第１温度センサの検出値が第１しきい値を超えた場合であり、熱交換手段では、熱回収配管部から熱を受けて熱交換を実行する。
【００１７】
本発明において、前記判定手段が、前記貯湯タンク内に貯留された温水の温度を検出する第２温度センサであり、前記貯湯タンクに貯留された温水を、当該貯湯タンクの外部で循環させる熱利用配管部をさらに有し、前記第２温度センサの検出値が、第２しきい値を超えた場合に、前記熱交換手段が、前記熱利用配管部から熱を受けて熱交換を実行することを特徴とする。
【００１８】
判定手段での余剰の熱があるとする判定は、貯湯タンク内に貯留された温水の温度を検出する第２温度センサの検出値が第２しきい値を超えた場合であり、熱交換手段では、貯湯タンクに貯留された温水を、当該貯湯タンクの外部で循環させる熱利用配管部から熱を受けて熱交換を実行する。
【００１９】
本発明において、前記給湯設備として、温暖時期では室内の空気を取り込んで加熱し除湿剤を活性化させる除湿器が対象とされ、寒冷時期では利用者に対し温熱効果を与える暖房器具が対象とされることを特徴とする。
【００２０】
燃料電池ユニットからの排熱を有効利用する給湯設備を選択することで、温暖時期及び寒冷時期を問わず、燃料電池ユニットの発電機能を継続させることができる。
【発明の効果】
【００２１】
以上説明した如く本発明では、温暖時期及び寒冷時期を問わず、燃料電池の発電時に生成される温水（熱）を有効利用でき、給湯設備全体としての快適性を向上することができる。
【図面の簡単な説明】
【００２２】
【図１】第１の実施の形態に係る給湯発電設備を管理する貯湯発電システムの概略図である。
【図２】第１の実施の形態に係る貯湯制御装置の制御ブロック図である。
【図３】第１の実施の形態に係る給湯発電設備の配管図である。
【図４】第１の実施の形態に係り、寒冷時期に、貯湯ユニットの貯湯制御装置で実行される配管路制御ルーチンを示すフローチャートである。
【図５】図４のステップ１０４で分岐されて設定されるそれぞれの流路を示す配管図であり、（Ａ）は燃料電池排熱利用時、（Ｂ）はヒートポンプ利用時を示す。
【図６】第１の実施の形態に係り、温暖時期に、貯湯ユニットの貯湯制御装置で実行される配管路制御ルーチンを示すフローチャートである。
【図７】図６のステップ１２４で分岐されて設定されるそれぞれの流路を示す配管図であり、（Ａ）は燃料電池排熱利用時、（Ｂ）はバックアップボイラ利用時を示す。
【図８】第２の実施の形態に係る給湯発電設備の配管図である。
【図９】第２の実施の形態に係り、寒冷時期に、貯湯ユニットの貯湯制御装置で実行される配管路制御ルーチンを示すフローチャートである。
【図１０】図９のステップ２０４で分岐されて設定されるそれぞれの流路を示す配管図であり、（Ａ）は燃料電池排熱利用時、（Ｂ）はヒートポンプ利用時を示す。
【図１１】第２の実施の形態に係り、温暖時期に、貯湯ユニットの貯湯制御装置で実行される配管路制御ルーチンを示すフローチャートである。
【図１２】図１１のステップ１２４で分岐されて設定されるそれぞれの流路を示す配管図であり、（Ａ）は燃料電池排熱利用時、（Ｂ）はバックアップボイラ利用時を示す。
【発明を実施するための形態】
【００２３】
（第１の実施の形態）
【００２４】
図１には、第１の実施の形態に係る貯湯発電システム１１の概略図が示されている。貯湯発電システム１１は、貯湯ユニット１０と燃料電池ユニット１２とが併設されたシステムである。なお、併設とは、物理的に隣接していることに限定するものではなく、相互に連携しあう（後述）ことを意味する。すなわち、貯湯ユニット１０と燃料電池ユニット１２とが離間した状態で設置され、配管等で連結するようにしてもよい。
【００２５】
貯湯発電システム１１では、貯湯ユニット１０に搭載された貯湯制御装置１４と、燃料電池ユニット１２に搭載された発電制御装置１６とが相互に連携しあって制御する。なお、貯湯制御装置１４と発電制御装置１６とは分離することなく、単一の貯湯発電制御装置としてもよい。
【００２６】
燃料電池ユニット１２では、発電する際に発熱するため、冷却する必要がある。
【００２７】
一方、貯湯ユニット１０では、貯湯タンク１８内に水道水等を取り入れ（給水し）、給湯用又は冷暖房用として利用するため、加熱（加温）する必要がある。
【００２８】
そこで、燃料電池ユニット１２による発熱を、貯湯タンク１８内に給水した水の加熱に用いることで、相互の要求に適した処理を実現している。
【００２９】
（貯湯制御装置１４の構成）
【００３０】
図２に示される如く、貯湯制御装置１４は、ＣＰＵ２０、ＲＡＭ２２、ＲＯＭ２４、Ｉ／Ｏ２６、及びこれらを接続するデータバスやコントロールバス等のバス２８で構成されたマイクロコンピュータ３０を備える。
【００３１】
Ｉ／Ｏ２６には、発電制御装置１６及びリモコンパネル３２が接続されている。リモコンパネル３２は、貯湯発電システム１１が設置される対象の家屋の内部に設置され、利用者が貯湯発電システム１１に関して指令を入力したり、貯湯発電システム１１の状態を表示する機能を有する。家屋の内部には、図３に示す足元暖房に寄与するマット３６、床冷房用に寄与する除湿器３８を含む複数の給湯設備が設けられている。
【００３２】
また、Ｉ／Ｏ２６には、貯湯タンク１８に貯留された温水の温度を検出する複数のサーミスタ３４（総称）が接続されている。
【００３３】
（サーミスタの配置構成）
【００３４】
図１に示される如く、貯湯タンク１８内の水温は、大きく分類して４層の温度領域を形成している。なお、本実施の形態での貯湯タンク１８内の層分けは便宜的であり、４つの層分けに限定されるものではない。
【００３５】
水は、温度が高いほど上層となる。一方、貯湯タンク１８の水は、貯湯タンク１８の下部に取り付けられた給水管（図示省略）から取り込む。このため、貯湯タンク１８内の水温は、最上層の第１層１８Ａが最も温度が高く（高温）、以下、下層（第２層１８Ｂ及び第３層１８Ｃ）に行くに従い温度が低くなり（中高温、中低温）、最下層の第４層１８Ｄが最も温度が低い（低温）。
【００３６】
第１層１８Ａ〜第４層１８Ｄの各層には、それぞれサーミスタ３４が取り付けられており、各層の温度を検出している。より詳しくは、サーミスタ３４は、高温検出用サーミスタ３４Ａ、中高温検出用サーミスタ３４Ｂ、中低温検出用サーミスタ３４Ｃ、及び低温検出用サーミスタ３４Ｄを備えている。
【００３７】
第１層１８Ａには高温検出用サーミスタ３４Ａが設置され、第２層１８Ｂには中高温検出用サーミスタ３４Ｂが設置され、第３層１８Ｃには中低温検出用サーミスタ３４Ｃが設置され、第４層１８Ｄには低温検出用サーミスタ３４Ｄが設置されている。
【００３８】
サーミスタ３４は、貯湯制御装置１４に接続されており、各層の温度を監視することで、水道水の給水時期や給水量等を制御すると共に、燃料電池ユニット１２の発電制御装置１６へ、貯湯タンク１８内の温度情報を送出する。
【００３９】
発電制御装置１６では、貯湯タンク１８が満タン状態（全ての層で上限温度となった状態）以外は、発電を実行し、当該発電によって発生した熱を、図示しない熱交換器によって、貯湯ユニット１０の貯湯タンク１８に貯留された水を加熱する。言い換えれば、貯湯タンク１８が満タン状態の場合は、燃料電池ユニット１２からの放熱を回避するべく、発電を中断する。
【００４０】
特に、給湯需要の低い夏場（温暖時期）では、満タン状態になり易く、燃料電池ユニット１２の発電も中断し易くなる。
【００４１】
そこで、第１の実施の形態では、１年を寒冷時期（主として冬場）と温暖時期（主として夏場）とに分類し、寒冷時期は燃料電池ユニット１２の排熱の一部を暖房用のマット３６に利用し、温暖時期は燃料電池ユニット１２の排熱の一部を床冷房用の除湿器３８の稼働に利用することで、排熱利用に対する貯湯タンク１８の依存率を制限するようにした。
【００４２】
マット３６は、寒冷時期において、温水によって直接利用者の足元に敷かれたマットを温める。
【００４３】
除湿器３８は、室内の湿気を吸着剤（例えば、ゼオライト等）に吸着させて除去するデシカントロータ式除湿器が適用可能である。
【００４４】
なお、温暖時期と寒冷時期との区別は、厳密に決める必要はなく、例えば、デフォルト設定として、４月から９月までを温暖時期、１０月から３月までを寒冷時期としてもよい。また、日本国内、外国を問わず、地域によってデフォルト設定を変更してもよい。さらに、デフォルト設定は、利用者、メンテンナンス事業者等によって手動で調整可能としてもよく、室内の温度や人の動き、或いは天気予報等を情報源として自動的に調整可能としてもよい。
【００４５】
ところで、温暖時期は湿度が高く、湿気を吸着する吸着剤の性能が落ちやすいため、室内の空気を取り込んで加熱し、デシカントロータに供給して吸着剤を再生することがある。第１の実施の形態では、この取り込んだ空気の加熱に、燃料電池ユニット１２の排熱を利用する場合がある。
【００４６】
マット３６及び除湿器３８に代表されるように、室内の給湯設備において、必要とされる熱源は、ヒートポンプ４０やバックアップボイラ４２から受けている。
【００４７】
第１の実施の形態では、上記マット３６及び除湿器３８に代表される給湯設備の熱源として、間接的に燃料電池ユニット１２の発電時に発生する熱を利用するようにした。
【００４８】
図３は、燃料電池ユニット１２の排熱を貯湯タンク１８に貯留されている水の加熱に利用する配管系（熱回収配管４４）と、室内の給湯設備の配管系（給湯設備配管４６）とが連携された配管図である。
【００４９】
燃料電池ユニット１２には、第１ポンプ４８が設けられ、第１ポンプ４８の駆動により、貯湯タンク１８内の水が、燃料電池ユニット１２の入口ポート１２Ａから燃料電池ユニット１２に取り込まれる。取り込まれた水は、発電による熱によって加熱され（熱交換され）、出口ポート１２Ｂから排出される。なお、出口ポート１２Ｂの近傍には、排熱温度センサ５０が取り付けられ、熱回収配管４４内を流れる水の温度が検出され、貯湯制御装置１４のＩ／Ｏ２６（図２参照）へ送出される。
【００５０】
熱回収配管４４には、第１熱交換器５２が介在されている。第１熱交換器５２では、熱回収配管４４の熱が、第２ポンプ５４の駆動でバイパス配管５６を流れる水を加熱するようになっている。
【００５１】
一方、給湯設備配管４６には、給湯設備としてマット３６と除湿器３８が接続されている。なお、給湯設備は、マット３６及び除湿器３８に限らず、冷暖房機器、台所、洗面所、浴室等の直接温水を利用する給湯設備等もあるが、ここでは、燃料電池ユニット１２の排熱を利用する給湯設備の一例として、マット３６と除湿器３８に特化して図示した。
【００５２】
マット３６及び除湿器３８は、ヒートポンプ４０と連通する給湯設備配管４６によって、必要な温水を得ている。
【００５３】
ここで、第１の実施の形態では、マット３６及び除湿器３８に供給する給湯設備配管４６と前記バイパス配管５６との連結部分に、三方弁５８、６０を設けた。
【００５４】
三方弁５８、６０は、マット３６及び除湿器３８が、給湯設備配管４６と連通させる切替モードと、前記バイパス配管５６と連通させる切替モードとに切り替え可能となっている。この三方弁５８、６０は、貯湯制御装置１４のＩ／Ｏ２６（図２参照）に接続され、貯湯制御装置１４によって切り替えが制御される。
【００５５】
すなわち、三方弁５８、６０の切り替え制御によって、マット３６及び除湿器３８は、ヒートポンプ４０から必要な温水を得る場合と、第１熱交換器５２を介して、熱回収配管４４から必要な温水を得る場合と、を選択することができる。
【００５６】
なお、バイパス配管５６には、第２熱交換器６２を介して、第３ポンプ６４の駆動によって、バックアップボイラ４２からの熱を得ることができるようになっている。
【００５７】
三方弁５８、６０は、前述したように寒冷時期か温暖時期かにより、温水供給対象の給湯設備（マット３６又は除湿器３８）が異なる。すなわち、寒冷時期は燃料電池ユニット１２の排熱の一部をマット３６に利用し、温暖時期は燃料電池ユニット１２の排熱の一部を床冷房用の除湿器３８の稼働に利用する。
【００５８】
また、三方弁５８、６０は、排熱温度センサ５０の検出温度により切り替えが制御される。すなわち、排熱温度センサ５０の検出温度がしきい値を超えている場合は、第１熱交換器５２による熱交換されたバイパス配管５６からの熱を利用し、排熱温度センサ５０の検出温度がしきい値以下の場合は、他の熱源（例えば、ヒートポンプ４０又はバックアップボイラ４２）を利用する。
【００５９】
以下に、第１の実施の形態の作用を、図４及び図６のフローチャートに従い説明する。
【００６０】
（寒冷時期制御）
【００６１】
図４は、寒冷時期に、貯湯ユニット１０の貯湯制御装置１４で実行される配管路制御ルーチンを示すフローチャートである。第１の実施の形態では、寒冷時期の制御対象として、マット３６が選択されている。
【００６２】
ステップ１００では、燃料電池ユニット１２の出口ポート１２Ｂに設置された排熱温度センサ５０の検出温度Ｔｆｃを取り込み、ステップ１０２へ移行する。ステップ１０２では、しきい値Ｔｓを読み出し、ステップ１０４へ移行して、排熱温度Ｔｆｃとしきい値Ｔｓとを比較する。
【００６３】
ステップ１０４の比較において、排熱温度Ｔｆｃがしきい値Ｔｓを超えている（Ｔｆｃ＞Ｔｓ）場合は、貯湯タンク１８の水を加熱する以上の熱量があると判断し、ステップ１０６へ移行して、三方弁５８、６０をバイパス配管５６の流路がマット３６に連通するように切り替え、ステップ１１０へ移行する。
【００６４】
すなわち、図５（Ａ）に示される如く、第１熱交換器５２により、熱回収配管４４の熱がバイパス配管５６を流れる水に熱交換され、第２ポンプ５４の駆動によって、マット３６に温水を供給することができる（図５（Ａ）の点線矢印参照）。
【００６５】
一方、ステップ１０４の比較において、排熱温度Ｔｆｃがしきい値Ｔｓ以下（Ｔｆｃ≦Ｔｓ）の場合は、貯湯タンク１８の水を加熱する以上の熱量はないと判断し、ステップ１０８へ移行して、三方弁５８、６０を閉塞し、給湯設備配管４６の流路がマット３６に連通するように切り替え、ステップ１１０へ移行する。
【００６６】
すなわち、図５（Ｂ）に示される如く、ヒートポンプの温水をマット３６へ供給することができる（図５（Ｂ）の点線矢印参照）。
【００６７】
ステップ１１０では、マット暖房を継続するか否かを判断し、否定判定された場合は、ステップ１００へ戻り、上記工程を繰り返す。また、ステップ１１０で肯定判定された場合は、ステップ１１２へ移行して、停止処理を実行し、このルーチンは終了する。
【００６８】
（温暖時期制御）
【００６９】
図６は、温暖時期に、貯湯ユニット１０の貯湯制御装置１４で実行される配管路制御ルーチンを示すフローチャートである。第１の実施の形態では、温暖時期の制御対象として、除湿器３８が選択されている。
【００７０】
ステップ１２０では、燃料電池ユニット１２の出口ポート１２Ｂに設置された排熱温度センサ５０の検出温度Ｔｆｃを取り込み、ステップ１２２へ移行する。ステップ１２２では、しきい値Ｔｓを読み出し、ステップ１２４へ移行して、排熱温度Ｔｆｃとしきい値Ｔｓとを比較する。なお、図６に示す温暖時期でのしきい値Ｔｓは、図４に示す寒冷時期でのしきい値Ｔｓと異なる値でもよい。
【００７１】
ステップ１２４の比較において、排熱温度Ｔｆｃがしきい値Ｔｓを超えている（Ｔｆｃ＞Ｔｓ）場合は、貯湯タンク１８の水を加熱する以上の熱量があると判断し、ステップ１２６へ移行して、三方弁５８、６０をバイパス配管５６の流路が除湿器３８に連通するように切り替え、ステップ１３０へ移行する。
【００７２】
すなわち、図７（Ａ）に示される如く、第１熱交換器５２により、熱回収配管４４の熱がバイパス配管５６を流れる水に熱交換され、第２ポンプ５４の駆動によって、除湿器３８に温水を供給することができる（図７（Ａ）の点線矢印参照）。
【００７３】
一方、ステップ１２４の比較において、排熱温度Ｔｆｃがしきい値Ｔｓ以下（Ｔｆｃ≦Ｔｓ）の場合は、貯湯タンク１８の水を加熱する以上の熱量はないと判断し、ステップ１２８へ移行して、バイパス配管５６への熱供給元をバックアップボイラ４２に変更して、ステップ１１０へ移行する。
【００７４】
すなわち、図７（Ｂ）に示される如く、第２熱交換器６２により、バックアップボイラ４２の熱がバイパス配管５６を流れる水に熱交換され、第２ポンプ５４の駆動によって、除湿器３８に温水を供給することができる（図７（Ｂ）の点線矢印参照）。
【００７５】
ステップ１３０では、マット暖房を継続するか否かを判断し、否定判定された場合は、ステップ１２０へ戻り、上記工程を繰り返す。また、ステップ１３０で肯定判定された場合は、ステップ１３２へ移行して、停止処理を実行し、このルーチンは終了する。
【００７６】
（第２の実施の形態）
【００７７】
以下に、本発明の第２の実施の形態について説明する。なお、第１の実施の形態と同一構成部分については、同一の符号を付して、その構成の説明を省略する。
【００７８】
第１の実施の形態が、燃料電池ユニット１２の発電によって発生する熱を第１熱交換器５２の熱交換によってバイパス配管５６を流れる水を加熱する構成としたのに対し、第２の実施の形態では、貯湯タンク１８に貯留されている温水の熱を利用して、バイパス配管５６を流れる水を加熱するようにした。
【００７９】
図８に示される如く、貯湯タンク１８には、熱回収配管４４に加え、熱利用配管６８が設けられている。熱利用配管６８には、第３熱交換器６６が介在されている。
【００８０】
第３熱交換器６６では、熱利用配管６８の熱が、第４ポンプ７０の駆動でバイパス配管５６を流れる水を加熱するようになっている。
【００８１】
三方弁５８、６０は、貯湯タンク１８内を検出するサーミスタ３４の検出温度により切り替えが制御される。すなわち、サーミスタ３４の検出温度に基づいて貯湯タンク１８内に余剰の蓄熱がある場合は、第３熱交換器６６による熱交換されたバイパス配管５６からの熱を利用し、サーミスタ３４の検出温度に基づいて貯湯タンク１８内に余剰の蓄熱がない場合は、他の熱源（例えば、ヒートポンプ４０又はバックアップボイラ４２）を利用する。
【００８２】
なお、サーミスタ３４は、貯湯タンク１８内の各温度層を検出するために、高温検出用サーミスタ３４Ａ、中高温検出用サーミスタ３４Ｂ、中低温検出用サーミスタ３４Ｃ、及び低温検出用サーミスタ３４Ｄが設けられているが、何れの温度層を検出するサーミスタを用いてもよい。また、２以上のサーミスタ３４を併用し、平均値を演算したり、重み付けをして、貯湯タンク１８内に余剰の蓄熱があるか否かを判断してもよい。
【００８３】
以下、第２の実施の形態の作用を、図９及び図１１のフローチャートに従い説明する。
【００８４】
（寒冷時期制御）
【００８５】
図９は、寒冷時期に、貯湯ユニット１０の貯湯制御装置１４で実行される配管路制御ルーチンを示すフローチャートである。第２の実施の形態では、寒冷時期の制御対象として、マット３６が選択されている。
【００８６】
ステップ２００では、貯湯タンク１８内に設置されたサーミスタ３４の検出温度を取り込み、ステップ２０４へ移行する。
【００８７】
ステップ２０４において、サーミスタ３４の検出温度に基づいて貯湯タンク１８内に余剰の蓄熱があると判断した場合は、ステップ２０６へ移行して、三方弁５８、６０をバイパス配管５６の流路がマット３６に連通するように切り替え、ステップ１１０へ移行する。
【００８８】
すなわち、図１０（Ａ）に示される如く、第３熱交換器６６により、熱利用配管６８の熱がバイパス配管５６を流れる水に熱交換され、第２ポンプ５４の駆動によって、マット３６に温水を供給することができる（図１０（Ａ）の点線矢印参照）。
【００８９】
一方、ステップ２０４において、サーミスタ３４の検出温度に基づいて貯湯タンク１８内に余剰の蓄熱がないと判断した場合は、ステップ２０８へ移行して、三方弁５８、６０を閉塞し、給湯設備配管４６の流路がマット３６に連通するように切り替え、ステップ１１０へ移行する。
【００９０】
すなわち、図１０（Ｂ）に示される如く、ヒートポンプの温水をマット３６へ供給することができる（図１０（Ｂ）の点線矢印参照）。
【００９１】
ステップ２１０では、マット暖房を継続するか否かを判断し、否定判定された場合は、ステップ２００へ戻り、上記工程を繰り返す。また、ステップ２１０で肯定判定された場合は、ステップ２１２へ移行して、停止処理を実行し、このルーチンは終了する。
【００９２】
（温暖時期制御）
【００９３】
図１１は、温暖時期に、貯湯ユニット１０の貯湯制御装置１４で実行される配管路制御ルーチンを示すフローチャートである。第２の実施の形態では、温暖時期の制御対象として、除湿器３８が選択されている。
【００９４】
ステップ２２０では、貯湯タンク１８内に設置されたサーミスタ３４の検出温度を取り込み、ステップ２２４へ移行する。
【００９５】
ステップ２２４において、サーミスタ３４の検出温度に基づいて貯湯タンク１８内に余剰の蓄熱があると判断した場合は、ステップ２２６へ移行して、三方弁５８、６０をバイパス配管５６の流路が除湿器３８に連通するように切り替え、ステップ２３０へ移行する。
【００９６】
すなわち、図１２（Ａ）に示される如く、第３熱交換器６６により、熱利用配管６８の熱がバイパス配管５６を流れる水に熱交換され、第２ポンプ５４の駆動によって、除湿器３８に温水を供給することができる（図１２（Ａ）の点線矢印参照）。
【００９７】
一方、ステップ２２４において、サーミスタ３４の検出温度に基づいて貯湯タンク１８内に余剰の蓄熱がないと判断した場合は、ステップ２２８へ移行して、バイパス配管５６への熱供給元をバックアップボイラ４２に変更して、ステップ２１０へ移行する。
【００９８】
すなわち、図１２（Ｂ）に示される如く、第２熱交換器６２により、バックアップボイラ４２の熱がバイパス配管５６を流れる水に熱交換され、第２ポンプ５４の駆動によって、除湿器３８に温水を供給することができる（図１２（Ｂ）の点線矢印参照）。
【００９９】
ステップ２３０では、マット暖房を継続するか否かを判断し、否定判定された場合は、ステップ２２０へ戻り、上記工程を繰り返す。また、ステップ２３０で肯定判定された場合は、ステップ２３２へ移行して、停止処理を実行し、このルーチンは終了する。
【符号の説明】
【０１００】
１０    貯湯ユニット
１１    貯湯発電システム
１２    燃料電池ユニット
１４    貯湯制御装置（判定手段）
１６    発電制御装置
１８    貯湯タンク
１８Ａ    第１層
１８Ｂ    第２層
１８Ｃ    第３層
１８Ｄ    第４層
２０    ＣＰＵ
２２    ＲＡＭ
２４    ＲＯＭ
２６    Ｉ／Ｏ
２８    バス
３０    マイクロコンピュータ
３２    リモコンパネル
３４    サーミスタ
３４Ａ    高温検出用サーミスタ
３４Ｂ    中高温検出用サーミスタ
３４Ｃ    中低温検出用サーミスタ
３４Ｄ    低温検出用サーミスタ（第２温度センサ）
３６    マット（暖房器具）
３８    除湿器
４０    ヒートポンプ
４２    バックアップボイラ
４４    熱回収配管
４６    給湯設備配管
４８    第１ポンプ
１２Ａ    入口ポート
１２Ｂ    出口ポート
５０    排熱温度センサ（第１温度センサ）
５２    第１熱交換器（熱交換手段）
５４    第２ポンプ
５６    バイパス配管
５８、６０    三方弁
６２    第２熱交換器
６４    第３ポンプ
６６    第３熱交換器（熱交換手段）
６８    熱利用配管
７０    第４ポンプ
【図１】
2018169119.tif 000003
【図２】
2018169119.tif 000004
【図３】
2018169119.tif 000005
【図４】
2018169119.tif 000006
【図５】
2018169119.tif 000007
【図６】
2018169119.tif 000008
【図７】
2018169119.tif 000009
【図８】
2018169119.tif 000010
【図９】
2018169119.tif 000011
【図１０】
2018169119.tif 000012
【図１１】
2018169119.tif 000013
【図１２】
2018169119.tif 000014